(57)【要約】【課題】狭いスペースでも任意の精度で確実に調整し、固定できる構成の調整機構の提供を目的とする。【解決手段】ガイド部材１と固定部材２との接続面３を調整方向に対し傾斜させたことにより、偏心ドライバーなどの調整機構、締結用ネジなどを傾斜面上に構成させ、横からドライバーを挿入する空間を不要にする。また傾斜角は任意に変更することで、例えば傾斜角を調整方向との角度が大となるよう設定することで変位に対する調整方向の移動量が減じられ、微調整が必要な部分への適用を可能にする。【選択図】図１
2007334923.tif 000002
【特許請求の範囲】
【請求項１】
高さを調整するガイド部材と前記ガイド部材を保持する固定部材との接続面を、調整する方向に対し傾斜させてなる、ガイド部材の高さ調整機構。
【請求項２】
前記接続面の傾斜方向を、調整に対し垂直方向のうち前記ガイド部材の移動可能な方向と同方向にとる、請求項１記載のガイド部材の高さ調整機構。
【請求項３】
前記接続面上に調整する前記ガイド部材の調整機構及び締結部材を配した、請求項１記載のガイド部材の高さ調整機構。
【発明の詳細な説明】
【技術分野】
【０００１】
本発明は、磁気記録再生装置におけるテープローラの位置規制用ガイドに用いられるガイド部材の高さ調整機構に関する。
【背景技術】
【０００２】
従来、磁気記録再生装置におけるテープローラの位置規制用ガイドに用いられるガイド部材の調整方法は、たとえば特許文献１に記載されているものがある。調整式ガイド部材は、固定部材と可動部材により構成されその接続面は調整方向に対して平行に構成されている。また、各々の部材の締結は接続面に対し垂直方向にねじなどにより固定される。
【０００３】
また、同様の調整方法として、例えば特許文献２に記載されているものがある。これは固定部材と可動部材それぞれにネジが形成されており、可動部材を回転させ、ネジの進角により上下方向に移動させる構成とし、さらにネジのガタによる調整値の変化を防止する為のロック部材などが付加された構成となっている。
【特許文献１】特開昭５７−９７９０６号公報
【特許文献２】実開平０４−１３２６３５号公報
【発明の開示】
【発明が解決しようとする課題】
【０００４】
しかしながら、前記従来の構成では、図３に示すように固定部材と可動部材の接続面が調整方向に対し平行に構成されており、ネジなどの固定部材は接続面に対し垂直に配されている為、たとえば高さ方向の調整にこの調整機構を導入した場合、ドライバーなどを横方向から挿入させなくてはならず、部材との干渉などが発生し、装置の小型化を阻害する要因となるか或いは、調整が行えなくなるなどの課題を有していた。
【０００５】
また、接続面をネジで締結した場合、可動部材は円筒形になり形状面での制限が発生すると共に、大きな調整量を確保しにくい。また、ネジのガタによる調整後の調整値変化、或いは調整値変化防止の為、固定用の部材追加が必要になるなどの課題を有していた。
【０００６】
本発明は、上記課題を解決する為になされたものであり、外部から調整用ドライバー、締結用ドライバーなどを横方向から挿入せずとも、所定の機能を果たすガイド部材の高さ調整機構を提供することを目的とする。
【課題を解決するための手段】
【０００７】
前記課題を解決するために、本発明のガイド部材の高さ調整機構は、高さを調整するガイド部材と、ガイド部材を保持する固定部材との接続面を、調整する方向に対し傾斜させてなる構成を有し、傾斜面上に調整機構、締結用ねじなどを配する事により横方向からドライバーを挿入せずとも所定の機能を果たすようにしたものである。
【０００８】
また、高さを調整するガイド部材と、ガイド部材を保持する固定部材との接続面の傾斜方向を、水平方向のうちガイド部材の移動を許容される方向と同方向にとる事により、調整に伴う水平方向のガイド移動を許容可能に構成したものである。
【発明の効果】
【０００９】
本発明のガイド部材の高さ調整機構によれば、調整用偏心ドライバー穴、締結用ネジなどを傾斜面上に構成することができ、横からドライバーを挿入する必要がなくなるため、少ないスペースでも確実に調整、締結を行うことができる。
【００１０】
また傾斜角は任意に変更することが出来る為、例えば傾斜角を調整方向との角度が大となるよう設定すると変位に対する調整方向の移動量が減じられ、微調整が必要な部分への適用が可能になる。
【００１１】
さらにネジの進角による高さ調整と異なり、ネジ部でのガタによる調整値の変化などが発生しないため、精度よい調整が可能になる。
【発明を実施するための最良の形態】
【００１２】
以下本発明を実施するための最良の形態について、図面を参照しながら説明する。
【００１３】
図１は、本発明の実施の形態におけるガイド部材の高さ調整機構の斜視図、図２はガイドローラの回転軸方向の上方から見た平面図である。図１において、図３（従来例の図）と同じ構成要件については同じ符号を用い、説明を省略する。
【００１４】
図１において、１はテープガイドローラ６（後述）の位置規制を行うためのガイド部材であり、テープガイドローラのみを規制するため、磁気テープ（図示せず）に干渉しない上部のフランジ部のみに当接（ガイド）する位置に調整する。２はガイド部材１を保持する為の固定部材、３はガイド部材１と固定部材２との接続面、４は接続面３でガイド部材１を固定部材２に固定するためのネジなどの接続部材、５はガイド部材の高さを調整するための調整用偏心ドライバーを挿入する調整用ドライバー穴、６はカセットからテープを引き出した後、テープ走行経路を形成する為の可動テープガイドローラを示し、１〜５でテープガイドローラ６を位置規制するガイドを構成する。
【００１５】
かかる構成によればガイド部材１と固定部材２の接続面３を傾斜させているので、その接続面３上に配置した接続部材４、調整用ドライバー穴５に係合させるドライバーはその接続面に対し垂直方向からの挿入でよく、水平方向に構成部材を配してもこれと干渉することがない。
【００１６】
また、テープガイドローラ６がテープを引き出し、所定の走行経路を形成する為に移動する移動方向と、傾斜させた接続面３の傾斜方向を一致させることにより、ガイド部材１が調整時に水平方向に移動してもテープガイドローラ６と干渉することがなく、テープガイドローラ６を位置規制するという所定の効果のみを得ることができる。
【産業上の利用可能性】
【００１７】
本発明にかかるガイド部材の高さ調整機構は、調整用偏心ドライバー穴、締結用ネジなどを傾斜面上に構成することができ、横からドライバーを挿入する必要がなくなり、少ないスペースでも確実に調整、締結を行うことができるため、磁気記録再生装置おけるテープローラの位置規制用ガイドに用いられるガイド部材の高さ調整機構としても有用である。
【図面の簡単な説明】
【００１８】
【図１】本発明の実施の形態１におけるガイド部材の高さ調整機構の斜視図
【図２】本発明の実施の形態１におけるガイド部材の高さ調整機構の平面図
【図３】従来の高さ調整機構の斜視図
【符号の説明】
【００１９】
１  ガイド部材
２  固定部材
３  ガイド部材と固定部材を接続する接続面
４  接続部材
５  調整用ドライバー穴
６  テープガイドローラ
【図１】
2007334923.tif 000003
【図２】
2007334923.tif 000004
【図３】
2007334923.tif 000005